(57)【要約】【課題】外観に優れ、シャッターのメンテナンス作業が容易で、さらに、シャッターボックス全体を取り外す際に躯体への影響が低減されたシャッターボックスの取付構造を提供する。【解決手段】側板と長尺体４１〜４４と正面板６１と下面板６２とを備えたシャッターボックスを、側板１０を背面側躯体２０に固定し、上正面用長尺体４１を上面側躯体に固定することによって建物の躯体に取付固定した取付構造であって、正面板６１が上正面用長尺体４１の正面に取付けられ、正面板６１の水平方向端部が側板端辺近傍を折り曲げて形成された接続片１２に、該折り曲げ部より所定の距離をおいて取り付けられ、正面板６１の上端取付位置よりも上方に回り縁７１を介して軒裏天井８０の端部が取り付けられている。【選択図】図１
2009108485.tif 000002
【特許請求の範囲】
【請求項１】
軒裏天井下にある建物開口部上方にシャッターボックスを取り付けた構造であって、
上記シャッターボックスが、少なくとも、
一対の側板と、
該側板間を繋ぐ、上正面用、下正面用、下背面用の３本の長尺体と、
少なくとも上正面用長尺体に上端を固定され、上正面用長尺体と下正面長尺体との間を塞ぐ平板の正面板と、
下正面用及び下背面用の２本の長尺体にそれぞれ幅方向端部を固定され、該２本の長尺体間を塞ぐ下面板と、
を有し、
上記上正面用長尺体が上面側躯体に固定され、
上記側板の背面側端部が背面側躯体に固定され、
上記上正面用長尺体の正面に上記正面板が固定され、
上記正面板の上端位置よりも上方の上記上正面用長尺体の正面に軒裏天井の端部が取り付けられている
ことを特徴とするシャッターボックスの取付構造。
【請求項２】
上記側板が、該側板の正面側端辺近傍を正面側に直角に折り曲げてなる接続片を有し、
上記正面板の水平方向端部が折り曲げ部より所定の距離をおいて該接続片に固定されている請求項１に記載のシャッターボックスの取付構造。
【請求項３】
上記上正面用長尺体が上面側躯体に接続金具を介して固定されている請求項１又は２に記載のシャッターボックスの取付構造。
【請求項４】
上記側板の背面側端部の背面側躯体への固定がボルトによる請求項１〜３のいずれかに記載のシャッターボックスの取付構造。
【発明の詳細な説明】
【技術分野】
【０００１】
本発明は、住宅や店舗などの建築物において、車庫や窓などの開口部のシャッターを収納するシャッターボックスの取付構造に関する。
【背景技術】
【０００２】
従来、軒裏天井下にある建物開口部上方にシャッターボックスを設置する際は、シャッターボックスの上端が軒裏天井よりも上方になるようにシャッターボックスを設置し、該シャッターボックスの正面板に軒裏天井の端部を固定していた。しかしながら、シャッターボックスの正面板は通常スチール製であるため、軒裏天井のシャッターボックス側の固定が不安定であるという問題があった。
【０００３】
また、建物本体の耐用年数が３０年から６０年であるのに対し、スチール製のシャッターの耐用年数は１０年程度であるため、シャッターのメンテナンスに際してシャッターボックスの正面板を取り外す必要があるが、上記のようにシャッターボックスの正面板に軒裏天井の端部が固定されているため、メンテナンスの際に軒裏天井も取り外す必要があり、作業が繁雑であった。
【０００４】
さらに、シャッターボックスの側面側に建物の壁面や躯体が近接する場合には、係る壁面や躯体とシャッターボックスの側面との間にシーリング材が充填されているが、上記メンテナンスの際には該シーリング材を除去する必要があった。
【０００５】
またさらに、シャッターボックス自体はその側板を建物の躯体に溶接固定されているため、シャッターボックス全体の交換の際には、該躯体にも損傷を与えていた。
【０００６】
特許文献１には、シャッターボックスを上カバーと下カバーとで構成し、下カバーを脱着可能とすることによりメンテナンスを容易にした構造が開示されている。
【０００７】
【特許文献１】特開平１０−２６６７２９号公報
【発明の開示】
【発明が解決しようとする課題】
【０００８】
特許文献１に開示された構造では、メンテナンス作業は容易になるが、下カバーと上カバーとのジョイント部分が凹部で構成され、該ジョイント部分が軒下天井よりも下方に位置するため、意匠性に劣るという問題があった。また、係るシャッターボックスは背面側の外壁に取り付けられているのみであるため、安定性に劣るという問題があった。
【０００９】
本発明の課題は、外観に優れ、シャッターのメンテナンス作業が容易で、さらに、シャッターボックス全体を取り外す際に躯体への影響が低減されたシャッターボックスの取付構造を提供することにある。
【課題を解決するための手段】
【００１０】
本発明は、軒裏天井下にある建物開口部上方にシャッターボックスを取り付けた構造であって、
上記シャッターボックスが、少なくとも、
一対の側板と、
該側板間を繋ぐ、上正面用、下正面用、下背面用の３本の長尺体と、
少なくとも上正面用長尺体に上端を固定され、上正面用長尺体と下正面長尺体との間を塞ぐ平板の正面板と、
下正面用及び下背面用の２本の長尺体にそれぞれ幅方向端部を固定され、該２本の長尺体間を塞ぐ下面板と、
を有し、
上記上正面用長尺体が上面側躯体に固定され、
上記側板の背面側端部が背面側躯体に固定され、
上記上正面用長尺体の正面に上記正面板が固定され、
上記正面板の上端位置よりも上方の上記上正面用長尺体の正面に軒裏天井の端部が取り付けられている
ことを特徴とする。
【００１１】
本発明においては、
上記側板が、該側板の正面側端辺近傍を正面側に直角に折り曲げてなる接続片を有し、
上記正面板の水平方向端部が折り曲げ部より所定の距離をおいて該接続片に固定されていること、
上記上正面用長尺体が上面側躯体に接続金具を介して固定されていること、
上記側板の背面側端部の背面側躯体への固定がボルトによること、
を好ましい態様として含む。
【発明の効果】
【００１２】
本発明によれば、正面板を取り外す際に軒裏天井を取り外す必要がなく、また、正面板の取り付けに側板に設けた接続片を利用することで側板と壁面との間隙のシーリング材を除去する必要もない。よって、シャッターの交換等メンテナンス作業が容易になる。また、上正面用長尺体が上面側躯体に、側板が背面側躯体にそれぞれ固定されているため、シャッターボックスが安定する。さらに、上面側躯体に固定された上正面用長尺体に軒裏天井の端部を固定することで、軒裏天井のシャッターボックス側の端部も安定する。さらに、本発明によれば、正面板が平板で凹凸がなく、取り付け部位が目立たないことから、意匠性に優れた構造となる。
【発明を実施するための最良の形態】
【００１３】
以下に、本発明のシャッターボックスの取付構造を、好ましい実施形態を挙げて詳細に説明する。
【００１４】
図１は、本発明の好ましい実施形態を示す斜視図であり、手前側を切り取った状態で示す図である。
【００１５】
また、図１のＡ−Ａ’断面図、Ｂ−Ｂ’断面図をそれぞれ図２，図３に、図１に至る施工工程を図４〜図９に示す。以下、施工工程に沿って本発明を説明する。
【００１６】
本発明に係るシャッターボックスは、少なくとも、一対の側板１０（図４）と、該側板間を繋ぐ上正面用、下正面用、下背面用の３本の長尺体４１，４２，４３と、正面板６１と、下面板６２とを有している。本例においては、更に、上背面用の長尺体４４を備えた構成を示す。
【００１７】
［工程１］
本発明に係る側板１０は、長尺のシャッターボックスの長さ方向両端部に配置される部材であり、該側板間を長尺体４１〜４４が繋いで一体化される。
【００１８】
側板１０は、好ましくは図４に示すように、正面側端辺近傍を正面側に直角に折り曲げてなる接続片１２を備えており、係る接続片１２に正面板６１の水平方向端部が取り付けられる。また、側板１０は、好ましくは、背面側端辺近傍を背面側に直角に折り曲げてなる接続片１５を備え、係る接続片１５を背面側躯体２０に取り付ける。この時、ボルトで固定することが好ましい。さらに、好ましくは長尺体４１〜４４を取り付けるための接続片１１，１３，１４が側板の折り曲げにより形成されていることが好ましい。
【００１９】
本発明においては、側板１０の背面側端部を背面側躯体２０に固定する。本例においては、側板１０の背面側端部に接続片１５が折り曲げによって形成されているため、該接続片１５を躯体２０に当接させ、ボルト孔１５ａ〜１５ｃ及びボルト３１ａ〜３１ｃを介して接続片１５を躯体２０に取り付けて固定する。また、側板１０の側面板１６と壁面２２との間隙にはシーリング材２１を充填する（図５）。図４，図５に示す側板１０に相対するもう一方の側板も同様である。
【００２０】
［工程２］
長尺体４１〜４４の長さ方向端部を側板１０に取り付けて、該長尺体４１〜４４で両側板を繋ぐ（図６）。本例においては、側板１０の四方に折り曲げによって接続片１１〜１５が設けられており、該接続片１１〜１５に設けたビス孔１１ａ，１２ａ，１２ｂ，１３ａ及びビス５１ａ，５１ｂ，５１ｃにより取り付ける。尚、ビス孔１３ａに対応するビスは長尺体４３の下方に位置するため図示しない。また、長尺体４１〜４４はそれぞれ、二方を接続片１１〜１５に当接するため、ビス止めする位置が二方あり、いずれの側から固定してもかまわない。また、両方から止めてもかまわない。さらに、長尺体４４については、背面側躯体２０の背面側から躯体２０、接続片１５、長尺体４４を一体にボルト止めしても良い。尚、背面側躯体２０に長尺体４４を兼ねさせることで、長尺体４４を省略しても良い。
【００２１】
［工程３］
上正面用長尺体４１に逆Ｌ字型の取り付け金具７２をビス孔４１ｂ及びビス７２ａを介して取り付け、該取り付け金具７２を上面側躯体７３にボルト孔７２ｂ及びボルト７２ｃを介して取り付けることにより、上正面用長尺体４１を上面側躯体７３に固定する（図３，図７）。
【００２２】
［工程４］
正面板６１を上正面用長尺体４１と下正面用長尺体４２との間を塞ぐように取り付け、下面板６２を下正面用長尺体４２と下背面用長尺体４３との間を防ぐように取り付ける（図８）。本例においては、接続片１２にビス孔１２ｃを設け、これを利用してビス５２ａにより正面板６１を接続片１２に取り付け、正面板６１と接続片１２と長尺体４１とを一体固定する。この時、正面板６１の上端を、上正面用長尺体４１の正面の回り縁取付位置よりも下方にずらせて取り付ける。また、正面板６１の水平方向端部（側板１０側の端部）が、接続片１２と側面板１６との境界、即ち側板１０の折り曲げ部より所定の距離をおいて位置するように取り付ける。
【００２３】
尚、本発明において、正面板６１の取り付け位置を接続片１２上のみとしても良いが、図７に示すように、水平方向に適当な間隔で長尺体４１と正面板６１とをビス孔４１ｄ及びビス５２ｃにより固定しても良い。同様に、下面板６２の長尺体４２，４３への取り付け位置も特に限定されず、正面板６１と同様に、適当な間隔でビス止めすればよい。
【００２４】
［工程５］
上正面用長尺体４１に、ビス孔４１ａ，４１ｃ及びビス７１ａ，７１ｂを介して回り縁７１を取り付ける（図９）。この時、回り縁７１の下面が、後日、正面板６１を取り外す際に回り縁７１が邪魔にならないように、正面板６１を上正面長尺体４１に取り付けたビス５２ａ，５２ｃよりも上方に回り縁７１の下面が位置するように取り付ける。
【００２５】
［工程６］
回り縁１７に軒裏天井８０の端部を取り付け、施工を終了する（図１）。
【００２６】
本発明においては、上正面用長尺体４１を上面側躯体７３に、側板１０を背面側躯体２０に、上面と背面の二方向において躯体に固定することにより、安定した状態で固定される。よって、軒裏天井８０の端部を上正面用長尺体４１に取り付けることで軒裏天井８０のシャッターボックス側の端部も安定して固定される。
【００２７】
本発明においては、正面板６１の上正面用長尺体４１への取り付け位置、即ち正面板６１の上端が、軒裏天井８０の下面よりも下方に位置するため、シャッターのメンテナンス作業において正面板６１をシャッターボックスから取り外す際に、軒裏天井８０を取り外す必要が無く、作業が容易である。また、側板１０に設けた折り曲げにより形成された接続片１２に、正面板６１の端部が折り曲げ部から所定の距離をおいて取り付けられているため、側板１０の側面板１６と壁面２２との間に充填されているシーリング材２１を取り除く必要が無く、この点においてもシャッターのメンテナンス作業が容易になる。
【００２８】
また、回り縁７１により正面板６１の上端を覆うことで正面板６１を平板とすることができ、意匠性に優れたものとなる。
【００２９】
本発明においては、シャッターボックスの躯体への取り付けをボルト３１ａ〜３１ｃ、７２ｃを用いて行うことにより、シャッターボックス全体を取り外す際の躯体２０，７３への影響を最小限に抑えることができる。
【００３０】
尚、上記の実施形態においては、シャッターボックスの上面及び背面には正面板６１や下面板６２に相当する平板部材を取り付けていないが、これは、背面側の躯体や壁面、上面側の躯体や屋根部材などによって、実質的にシャッターボックスの上面や背面を覆う部材が存在することによる。従って、シャッターボックスの上面や背面において、近接する部材が無く、シャッターボックス内に塵埃などが入りやすい場合などは、別途、上面板や背面板を用意して、長尺体４１，４４間、４３，４４間を塞いでも良い。
【００３１】
また、上記の実施形態においては、側板１０の側面板１６と壁面２２との間にシーリング材２１を充填する構造を示したが、係る構造は、側面板１６と壁面２２とが近接する場合に適用されるものであり、側面板１６に近接して壁面がない場合には、シーリング材２１も不要である。
【００３２】
本発明に係るシャッターボックス内には、不図示のシャッター部品が収納され、長尺体４３の背面と接続片１５の下端との間隙部位よりシャッターが出入される。
【産業上の利用可能性】
【００３３】
本発明は、木造、ＲＣ構造、鉄骨造などの建築工法を問わず、車庫や窓などの開口部のシャッターのシャッターボックス取り付けに用いられる。
【図面の簡単な説明】
【００３４】
【図１】本発明のシャッターボックスの取付構造の好ましい実施形態を示す部分断面斜視図である。
【図２】図１の実施形態の断面図である。
【図３】図１の実施形態の断面図である。
【図４】図１の実施形態の施工工程を示す斜視図である。
【図５】図１の実施形態の施工工程を示す斜視図である。
【図６】図１の実施形態の施工工程を示す斜視図である。
【図７】図１の実施形態の施工工程を示す斜視図である。
【図８】図１の実施形態の施工工程を示す斜視図である。
【図９】図１の実施形態の施工工程を示す斜視図である。
【符号の説明】
【００３５】
１０  側板
１１〜１５  接続片
１１ａ、１２ａ〜１２ｃ、１３ａ  ビス孔
１５ａ〜１５ｃ  ボルト孔
１６  側面板
２０  背面側躯体
２１  シーリング材
２２  壁面
３１ａ〜３１ｃ  ボルト
４１  上正面用長尺体
４１ａ〜４１ｄ  ビス孔
４２  下正面用長尺体
４３  下背面用長尺体
４４  上背面用長尺体
５１ａ〜５１ｅ、５２ａ，５２ｆ  ビス
６１  正面板
６２  下面板
７１  回り縁
７１ａ、７１ｂ  ビス
７２  取付金具
７２ａ  ビス
７２ｂ  ボルト孔
７２ｃ  ボルト
７３  上面側躯体
８０  軒裏天井
【図１】
2009108485.tif 000003
【図２】
2009108485.tif 000004
【図３】
2009108485.tif 000005
【図４】
2009108485.tif 000006
【図５】
2009108485.tif 000007
【図６】
2009108485.tif 000008
【図７】
2009108485.tif 000009
【図８】
2009108485.tif 000010
【図９】
2009108485.tif 000011